(57)【特許請求の範囲】
【請求項１】
現フレーム先頭に配置された既知信号を用いて順方向にトレーニングを行い、前記現フレームのデータ区間について順方向にトラッキングを行って順方向等化結果を得る順方向等化手段と、
次フレーム先頭に配置された既知信号を用いて逆方向にトレーニングを行い、前記現フレームのデータ区間について逆方向にトラッキングを行って逆方向等化結果を得る逆方向等化手段と、
受信信号の受信信号強度を測定する受信信号強度測定手段と、
前記現フレームの前記既知信号から前記次フレームの前記既知信号までの区間において測定された前記受信信号強度のうち、最小の受信信号強度、及び、当該最小の受信信号強度となる位置を検出する受信信号強度最小位置判定手段と、
検出された前記最小の受信信号強度と、所定の閾値との閾値判定を行う比較手段と、
検出された前記最小の受信信号強度となる位置及び前記閾値判定の結果に基づいて、前記順方向等化結果又は前記逆方向等化結果を選択する等化結果選択手段と、
を具備し、
前記等化結果選択手段は、
前記現フレームの前記既知信号区間において前記最小の受信信号強度が検出され、かつ、検出された前記最小の受信信号強度が前記閾値未満の場合、逆方向等化結果を選択し、
前記次フレームの前記既知信号区間において前記最小の受信信号強度が検出され、かつ、検出された前記最小の受信信号強度が前記閾値未満の場合、順方向等化結果を選択し、
前記既知信号区間において前記最小の受信信号強度が検出され、かつ、検出された前記最小の受信信号強度が前記閾値以上の場合、データ区間先頭からデータ区間中心までは順方向等結果を選択し、データ区間中心からデータ区間末尾までは逆方向等化結果を選択することを特徴とする等化装置。
【請求項２】
現フレーム先頭に配置された既知信号を用いて順方向にトレーニングを行い、前記現フレームのデータ区間について順方向にトラッキングを行って順方向等化結果を得る順方向等化手段と、
次フレーム先頭に配置された既知信号を用いて逆方向にトレーニングを行い、前記現フレームのデータ区間について逆方向にトラッキングを行って逆方向等化結果を得る逆方向等化手段と、
受信信号の受信信号強度を測定する受信信号強度測定手段と、
前記現フレームの前記既知信号から前記次フレームの前記既知信号までの区間において測定された前記受信信号強度のうち、最小の受信信号強度、及び、当該最小の受信信号強度となる位置を検出する受信信号強度最小位置判定手段と、
検出された前記最小の受信信号強度と、所定の閾値との閾値判定を行う比較手段と、
検出された前記最小の受信信号強度となる位置及び前記閾値判定の結果に基づいて、前記順方向等化結果又は前記逆方向等化結果を選択する等化結果選択手段と、
を具備し、
前記等化結果選択手段は、
前記現フレームの前記既知信号区間において前記最小の受信信号強度が検出され、かつ、検出された前記最小の受信信号強度が前記閾値未満の場合、逆方向等化結果を選択し、
前記次フレームの前記既知信号区間において前記最小の受信信号強度が検出され、かつ、検出された前記最小の受信信号強度が前記閾値未満の場合、順方向等化結果を選択し、
データ区間前半において前記最小の受信信号強度が検出された場合には、前記最小の受信信号強度となる位置にオフセット量ｎを加算した位置を切替位置とし、データ区間後半において前記最小の受信信号強度が検出された場合には、前記最小の受信信号強度となる位置からオフセット量ｎを減算した位置を切替位置とし、データ区間先頭から前記切替位置までは順方向等化結果を選択し、前記切替位置からデータ区間末尾までは逆方向等化結果を選択することを特徴とする等化装置。
【請求項３】
現フレーム先頭に配置された既知信号を用いて順方向にトレーニングを行い、前記現フレームのデータ区間について順方向にトラッキングを行って順方向等化結果を得る順方向等化工程と、
次フレーム先頭に配置された既知信号を用いて逆方向にトレーニングを行い、前記現フレームのデータ区間について逆方向にトラッキングを行って逆方向等化結果を得る逆方向等化工程と、
受信信号の受信信号強度を測定する受信信号強度測定工程と、
前記現フレームの前記既知信号から前記次フレームの前記既知信号までの区間において測定された前記受信信号強度のうち、最小の受信信号強度、及び、当該最小の受信信号強度となる位置を検出する受信信号強度最小位置判定工程と、
検出された前記最小の受信信号強度と、所定の閾値との閾値判定を行う比較工程と、
検出された前記最小の受信信号強度となる位置及び前記閾値判定の結果に基づいて、前記順方向等化結果又は前記逆方向等化結果を選択する等化結果選択工程と、
を具備し、
前記等化結果選択工程は、
前記現フレームの前記既知信号区間において前記最小の受信信号強度が検出され、かつ、検出された前記最小の受信信号強度が前記閾値未満の場合、逆方向等化結果を選択し、
前記次フレームの前記既知信号区間において前記最小の受信信号強度が検出され、かつ、検出された前記最小の受信信号強度が前記閾値未満の場合、順方向等化結果を選択し、
前記既知信号区間において前記最小の受信信号強度が検出され、かつ、検出された前記最小の受信信号強度が前記閾値以上の場合、データ区間先頭からデータ区間中心までは順方向等結果を選択し、データ区間中心からデータ区間末尾までは逆方向等化結果を選択することを特徴とする等化方法。
【請求項４】
現フレーム先頭に配置された既知信号を用いて順方向にトレーニングを行い、前記現フレームのデータ区間について順方向にトラッキングを行って順方向等化結果を得る順方向等化工程と、
次フレーム先頭に配置された既知信号を用いて逆方向にトレーニングを行い、前記現フレームのデータ区間について逆方向にトラッキングを行って逆方向等化結果を得る逆方向等化工程と、
受信信号の受信信号強度を測定する受信信号強度測定工程と、
前記現フレームの前記既知信号から前記次フレームの前記既知信号までの区間において測定された前記受信信号強度のうち、最小の受信信号強度、及び、当該最小の受信信号強度となる位置を検出する受信信号強度最小位置判定工程と、
検出された前記最小の受信信号強度と、所定の閾値との閾値判定を行う比較工程と、
検出された前記最小の受信信号強度となる位置及び前記閾値判定の結果に基づいて、前記順方向等化結果又は前記逆方向等化結果を選択する等化結果選択工程と、
を具備し、
前記等化結果選択工程は、
前記現フレームの前記既知信号区間において前記最小の受信信号強度が検出され、かつ、検出された前記最小の受信信号強度が前記閾値未満の場合、逆方向等化結果を選択し、
前記次フレームの前記既知信号区間において前記最小の受信信号強度が検出され、かつ、検出された前記最小の受信信号強度が前記閾値未満の場合、順方向等化結果を選択し、
データ区間前半において前記最小の受信信号強度が検出された場合には、前記最小の受信信号強度となる位置にオフセット量ｎを加算した位置を切替位置とし、データ区間後半において前記最小の受信信号強度が検出された場合には、前記最小の受信信号強度となる位置からオフセット量ｎを減算した位置を切替位置とし、データ区間先頭から前記切替位置までは順方向等化結果を選択し、前記切替位置からデータ区間末尾までは逆方向等化結果を選択することを特徴とする等化方法。
【発明の詳細な説明】
【技術分野】
【０００１】
本発明は、等化処理を行う等化装置及び等化方法に関する。
【背景技術】
【０００２】
０．技術の背景と課題
０．１．従来の装置構成
無線通信システムは、マルチパスの影響を受けることにより、符号間干渉が生じ、通信品質が劣化することが知られている。そのため、マルチパスの影響を低減するため、遅延等化器が必要である。
【０００３】
遅延等化器は、２つのＦＩＲフィルタで構成され、既知シンボルを用いたトレーニングにより等化結果と既知シンボルとの誤差が最小となるようにタップ係数を収束させる。タップ係数が収束した遅延等化器は、既知シンボルより後方に位置するデータに順方向等化を行い、既知シンボルより前方に位置するデータに逆方向等化を行う。このような技術の応用が特許文献１に開示されている。
【０００４】
０．２．特許文献１に開示の等化器
特許文献１には、既知シンボルの後方に順方向等化及び逆方向等化を行い、既知シンボルの前方に順方向等化及び逆方向等化を行い、後方と前方のそれぞれにおいて、順方向等化結果と逆方向等化結果とを比較して、既知シンボルとの誤差が小さい等化結果を採用することにより、等化性能を向上させる技術が開示されている。
【先行技術文献】
【特許文献】
【０００５】
【特許文献１】特開２００９−１０９１９号公報
【発明の概要】
【発明が解決しようとする課題】
【０００６】
０．３．本発明の課題
しかしながら、上述した特許文献１に開示の技術では、既知シンボルの後方に配置されたデータの順方向等化が終了すると、続いて、既知シンボルの前方に配置されたデータの順方向等化を行うが、このとき、１フレーム分離れたシンボルを処理するため、位相が不連続となり、タップ係数の補正が必要である。これは、逆方向等化においても同様である。このタップ係数の補正に要する演算は複雑であり、この演算を行うために等化器がさらに１つ必要となることから、回路規模が増大するという問題がある。
【０００７】
０．４．本発明の目的
本発明の目的は、回路規模を増大させることなく、等化性能を向上させる等化装置及び等化方法を提供することである。
【課題を解決するための手段】
【０００８】
本発明の等化装置は、現フレーム先頭に配置された既知信号を用いて順方向にトレーニングを行い、前記現フレームのデータ区間について順方向にトラッキングを行って順方向等化結果を得る順方向等化手段と、次フレーム先頭に配置された既知信号を用いて逆方向にトレーニングを行い、前記現フレームのデータ区間について逆方向にトラッキングを行って逆方向等化結果を得る逆方向等化手段と、受信信号の受信信号強度を測定する受信信号強度測定手段と、前記現フレームの前記既知信号から前記次フレームの前記既知信号までの区間において測定された前記受信信号強度のうち、最小の受信信号強度、及び、当該最小の受信信号強度となる位置を検出する受信信号強度最小位置判定手段と、検出された前記最小の受信信号強度と、所定の閾値との閾値判定を行う比較手段と、検出された前記最小の受信信号強度となる位置及び前記閾値判定の結果に基づいて、前記順方向等化結果又は前記逆方向等化結果を選択する等化結果選択手段と、を具備し、前記等化結果選択手段は、前記現フレームの前記既知信号区間において前記最小の受信信号強度が検出され、かつ、検出された前記最小の受信信号強度が前記閾値未満の場合、逆方向等化結果を選択し、前記次フレームの前記既知信号区間において前記最小の受信信号強度が検出され、かつ、検出された前記最小の受信信号強度が前記閾値未満の場合、順方向等化結果を選択し、前記既知信号区間において前記最小の受信信号強度が検出され、かつ、検出された前記最小の受信信号強度が前記閾値以上の場合、データ区間先頭からデータ区間中心までは順方向等結果を選択し、データ区間中心からデータ区間末尾までは逆方向等化結果を選択する構成を採る。
【０００９】
本発明の等化方法は、現フレーム先頭に配置された既知信号を用いて順方向にトレーニングを行い、前記現フレームのデータ区間について順方向にトラッキングを行って順方向等化結果を得る順方向等化工程と、次フレーム先頭に配置された既知信号を用いて逆方向にトレーニングを行い、前記現フレームのデータ区間について逆方向にトラッキングを行って逆方向等化結果を得る逆方向等化工程と、受信信号の受信信号強度を測定する受信信号強度測定工程と、前記現フレームの前記既知信号から前記次フレームの前記既知信号までの区間において測定された前記受信信号強度のうち、最小の受信信号強度、及び、当該最小の受信信号強度となる位置を検出する受信信号強度最小位置判定工程と、検出された前記最小の受信信号強度と、所定の閾値との閾値判定を行う比較工程と、検出された前記最小の受信信号強度となる位置及び前記閾値判定の結果に基づいて、前記順方向等化結果又は前記逆方向等化結果を選択する等化結果選択工程と、を具備し、前記等化結果選択工程は、前記現フレームの前記既知信号区間において前記最小の受信信号強度が検出され、かつ、検出された前記最小の受信信号強度が前記閾値未満の場合、逆方向等化結果を選択し、前記次フレームの前記既知信号区間において前記最小の受信信号強度が検出され、かつ、検出された前記最小の受信信号強度が前記閾値未満の場合、順方向等化結果を選択し、前記既知信号区間において前記最小の受信信号強度が検出され、かつ、検出された前記最小の受信信号強度が前記閾値以上の場合、データ区間先頭からデータ区間中心までは順方向等結果を選択し、データ区間中心からデータ区間末尾までは逆方向等化結果を選択するようにした。
【発明の効果】
【００１０】
本発明によれば、回路規模を増大させることなく、等化性能を向上させることができる。
【図面の簡単な説明】
【００１１】
【図１】本発明の実施の形態１に係る等化装置の構成を示すブロック図
【図２】本発明の実施の形態１に係るフレーム構成を示す図
【図３】図１に示した等化結果選択部における等化結果選択処理を示すフロー図
【図４】ＲＳＳＩ最小値が同期ワード区間に位置し、かつ、ＲＳＳＩ最小値が閾値未満である場合の等化結果選択処理の様子を示す図
【図５】ＲＳＳＩ最小値が同期ワード区間に位置し、かつ、ＲＳＳＩ最小値が閾値以上である場合の等化結果選択処理の様子を示す図
【図６】ＲＳＳＩ最小位置がデータ区間に位置する場合の等化結果選択処理の様子を示す図
【図７】本発明の実施の形態２に係る等化結果選択部における等化結果選択処理を示すフロー図
【図８】ＲＳＳＩ最小値が閾値１未満の等化結果選択処理の様子を示す図
【図９】ＲＳＳＩ最小値が閾値１以上かつ閾値２未満の等化結果選択処理の様子を示す図
【図１０】ＲＳＳＩ最小値が閾値２以上の等化結果選択処理の様子を示す図
【発明を実施するための形態】
【００１２】
以下、本発明の実施の形態について、図面を参照して詳細に説明する。
【００１３】
（実施の形態１）
１．実施の形態１
１．１．実施の形態１の等化装置の構成
図１は、本発明の実施の形態１に係る等化装置１００の構成を示すブロック図である。以下、図１を用いて等化装置の構成について説明する。この図において、受信信号は現フレーム及び次フレームの先頭に配置された同期ワード（既知シンボル）分受信信号バッファ１０１に蓄積される。
【００１４】
順方向等化処理部１０２は、受信信号バッファ１０１から受信信号を先頭から後端方向に向かって読み込み、読み込んだ受信信号のうち、現フレーム先頭に配置された同期ワードを用いて順方向にトレーニングを行い、現フレームのデータ区間について順方向にトラッキングを行う等化処理を施して、順方向等化結果を順方向等化バッファ１０３に出力する。
【００１５】
逆方向等化処理部１０４は、受信信号バッファ１０１から受信信号を後端から先頭方向へ向かって読み込み、読み込んだ受信信号のうち、次フレーム先頭に配置された同期ワードを用いて逆方向にトレーニングを行い、現フレームのデータ区間について逆方向にトラッキングを行う等化処理を施して、逆方向等化結果を逆方向等化バッファ１０５に出力する。
【００１６】
なお、図１では、便宜上等化処理部を順方向、逆方向に分けて図示しているが、運用上は１つの等化処理部を時分割で使用する。もちろん、実装上、図１に示すように等化処理部を２つ用意し、これらを並列動作させてもよい。
【００１７】
ＲＳＳＩ測定部１０６は、受信信号から受信信号強度（ＲＳＳＩ：Received Signal Strength Indicator）を算出してＲＳＳＩ最小位置判定部１０７に出力する。なお、ＲＳＳＩは、各シンボルのパワ（すなわち、Ｉ２＋Ｑ２）である。
【００１８】
ＲＳＳＩ最小位置判定部１０７は、ＲＳＳＩ測定部１０６から出力されたＲＳＳＩのうち、現フレームの同期ワードから次フレームの同期ワードまでの区間で最小のＲＳＳＩを検出し、ＲＳＳＩ最小値をＲＳＳＩ比較部１０８に出力すると共に、ＲＳＳＩが最小となるビット位置又はシンボル位置（ＲＳＳＩ最小位置）を検出して、等化結果選択部１０９に出力する。
【００１９】
ＲＳＳＩ比較部１０８は、ＲＳＳＩ最小位置判定部１０７から出力されたＲＳＳＩ最小値と所定の閾値との閾値判定を行い、判定結果を等化結果選択部１０９に出力する。
【００２０】
等化結果選択部１０９は、ＲＳＳＩ最小位置判定部１０７から出力されたＲＳＳＩ最小位置及びＲＳＳＩ比較部１０８から出力されたＲＳＳＩ最小値の閾値判定結果に基づいて、順方向等化バッファ１０３から順方向等化結果を読み出すか、逆方向等化バッファ１０５から逆方向等化結果を読み出すかを選択して、読み出した等化結果を等化器出力として出力する。なお、具体的な等化結果選択処理については後述する。
【００２１】
１．２．実施の形態１のフレーム構成
図２は、本発明の実施の形態１に係るフレーム構成を示す図である。図２に示すように、フレーム先頭に同期ワードが配置され、同期ワードに後続してフレーム後端までデータが配置される。このようなフレーム構成において、順方向等化処理部１０２では、現フレームの同期ワードを用いて先頭から後端に向かって（順方向に）トレーニングを行い、現フレームのデータ区間について順方向にトラッキングを行う。一方、逆方向等化処理部１０４では、次フレームの同期ワードを用いて後端から先頭に向かって（逆方向に）トレーニングを行い、現フレームのデータ区間について逆方向にトラッキングを行う。これにより、同一データ区間で順方向等化結果と逆方向等化結果の２つの等化結果を得ることができる。
【００２２】
１．３．等化結果選択部の等化結果選択処理
次に、上述した等化結果選択部１０９における等化結果選択処理について図３を用いて説明する。図３において、ステップ（以下、「ＳＴ」と省略する）２０１では、ＲＳＳＩ最小位置が同期ワード区間であるか否かを判定し、ＲＳＳＩ最小位置が同期ワード区間である（ＹＥＳ）場合、ＳＴ２０２に移行し、ＲＳＳＩ最小位置が同期ワード区間ではない（ＮＯ）場合、ＳＴ２０７に移行する。
【００２３】
ＳＴ２０２では、ＲＳＳＩ最小値の閾値判定結果が閾値未満か否かを検出し、閾値未満ではない（ＮＯ）場合、ＳＴ２０３に移行し、閾値未満である（ＹＥＳ）場合、ＳＴ２０４に移行する。
【００２４】
ＳＴ２０３では、データ区間先頭からデータ区間中心までは順方向等化結果を選択し、データ区間中心からデータ区間末尾までは逆方向等化結果を選択して、等化結果選択処理を終了する。
【００２５】
ＳＴ２０４では、ＲＳＳＩ最小位置が現フレームの同期ワード区間であるか否かを判定し、現フレームの同期ワード区間である（ＹＥＳ）場合、ＳＴ２０５に移行し、現フレームの同期ワード区間ではない（ＮＯ）場合、すなわち、次フレームの同期ワード区間である場合、ＳＴ２０６に移行する。
【００２６】
ＳＴ２０５では、全て逆方向等化結果を選択して等化結果選択処理を終了し、ＳＴ２０６では、現フレームの全てについて順方向等化結果を選択して等化結果選択処理を終了する。
【００２７】
ＳＴ２０７では、ＲＳＳＩ最小位置がデータ区間前半であるか否かを判定し、データ区間前半である（ＹＥＳ）場合、ＳＴ２０８に移行し、データ区間後半である（ＮＯ）場合、ＳＴ２０９に移行する。
【００２８】
ＳＴ２０８では、データ区間先頭から（ＲＳＳＩ最小位置＋ｎ）までは順方向等化結果を選択し、（ＲＳＳＩ最小位置＋ｎ）からデータ区間末尾までは逆方向等化結果を選択して等化結果選択処理を終了する。
【００２９】
ＳＴ２０９では、データ区間先頭から（ＲＳＳＩ最小位置−ｎ）までは順方向等化結果を選択し、（ＲＳＳＩ最小位置−ｎ）からデータ区間末尾までは逆方向等化結果を選択して等化結果選択処理を終了する。
【００３０】
次に、上述した等化結果選択処理の様子について説明する。まず、図３に示したＳＴ２０５及びＳＴ２０６の等化結果選択処理の様子を図４に示す。図４（ａ）はＳＴ２０５の様子を示し、図４（ｂ）はＳＴ２０６の様子を示す。
【００３１】
一般的に、トレーニングを行った同期ワードに近いシンボル位置ほど等化性能が良い。しかしながら、同期ワード区間の受信状態が悪い（ＲＳＳＩ最小値が閾値未満）場合、トレーニングの信頼性が低く、同期ワード近傍であっても十分な等化性能が得られない可能性がある。そのため、閾値未満となるＲＳＳＩ最小値のシンボル位置が同期ワード区間に存在する場合、同期ワードからの遠近にかかわらず、もう一方の同期ワードでトレーニングを行った等化結果を選択した方が、等化性能が良好である可能性が高い。
【００３２】
そのため、図４に示すように、ＲＳＳＩ最小値が同期ワード区間に位置し、そのＲＳＳＩ最小値が閾値未満である場合、同期ワードが現フレームであれば（図４（ａ））、現フレームの全てについて逆方向等化結果を選択し、同期ワードが次フレームであれば（図４（ｂ））、現フレームの全てについて順方向等化結果を選択する。
【００３３】
次に、図３に示したＳＴ２０３の等化結果選択処理の様子を図５に示す。図５（ａ）及び図５（ｂ）に示すように、ＲＳＳＩ最小値が同期ワード区間に位置し、そのＲＳＳＩ最小値が閾値以上である場合、データ区間前半については順方向等化結果を選択し、データ区間後半については逆方向等化結果を選択する。
【００３４】
同期ワード区間にＲＳＳＩ最小値が位置する場合であっても、受信状態が良好（ＲＳＳＩ最小値が閾値以上）な場合、トレーニングの信頼性が十分であると判断できる。この場合、トレーニングを行った同期ワードに近いシンボル位置ほど等化性能が良いため、選択する等化結果をデータ区間の中心で切り替えることにより、等化性能を向上させることができる。
【００３５】
最後に、図３に示したＳＴ２０８及びＳＴ２０９の等化結果選択処理の様子を図６に示す。図６（ａ）はＳＴ２０８の様子を示し、図６（ｂ）はＳＴ２０９の様子を示す。図６に示すように、ＲＳＳＩ最小値がデータ区間前半に位置する場合、（ＲＳＳＩ最小位置＋ｎ）を切替位置とし、ＲＳＳＩ最小値がデータ区間後半に位置する場合、（ＲＳＳＩ最小位置−ｎ）を切替位置とし、データ区間先頭から切替位置までは順方向等結果を選択し、切替位置からデータ区間末尾までは逆方向等化結果を選択する。ただし、ＲＳＳＩ最小位置にオフセット量ｎを加算又は減算したことにより、加算結果又は減算結果がデータ区間の中心を超えてはならない。
【００３６】
ＲＳＳＩ最小値がデータ区間に位置する場合、ＲＳＳＩ最小値のシンボル位置以降は等化器のタップ係数が最適値に収束せずに発散し、等化に失敗する可能性がある。そこで、図６に示すように、ＲＳＳＩ最小位置±ｎを切替位置とすることにより、同期ワードから等化を行うシンボルまでの距離をできるだけ短くしつつ、タップ係数の発散により誤った等化結果を選択することを回避し、等化性能を向上させることができる。
【００３７】
１．４．オフセット量ｎの決定方法
ここで、オフセット量ｎの決定方法について説明する。オフセット量ｎを同期ワードの種類（誤検出率）から決定する場合と、同期ワードの長さから決定する場合とが考えられる。
【００３８】
まず、同期ワードの種類（誤検出率）からオフセット量ｎを決定する場合について説明する。同期ワードのパターンが複数用意されており、現フレームと次フレームの同期ワードが異なり、かつ、同期ワードのパターンを検出する必要がある場合、その他のパターンとの相関が高いものほど誤検出の可能性が高い。同期ワードのパターンを誤検出した場合、正しくトレーニングを行うことができないため、等化性能が劣化する。このため、同期パターン毎の誤検出率を考慮してｎを決定する。例えば、現フレームより次フレームの同期ワードの誤検出率が０．１％高ければｎ＝１とし、０．２％高ければｎ＝２とすること（ここでは、誤検出率０．１％当たり１シンボルのオフセット）などが考えられる。
【００３９】
次に、同期ワードの長さからオフセット量ｎを決定する場合について説明する。フレーム毎に送信チャネルが異なる場合などは、現フレームと次フレームの同期ワード長が異なることがあり、同期ワード長が長いほど十分なトレーニングを行うことができる。そのため、例えば、現フレームより次フレームの同期ワード長が２シンボル長い場合、ｎ＝−２などのように決定してもよい。
【００４０】
１．５．実施の形態１の効果
このように、実施の形態１によれば、現フレーム先頭に配置された同期ワードを用いて順方向にトレーニングを行い、現フレームのデータ区間について順方向にトラッキングを行う一方、次フレーム先頭に配置された同期ワードを用いて逆方向にトレーニングを行い、現フレームのデータ区間について逆方向にトラッキングを行い、現フレーム及び次フレームの同期ワードを含む区間におけるＲＳＳＩ最小位置及びＲＳＳＩ最小値の閾値判定結果に基づいて、順方向等化結果又は逆方向等化結果を等化器出力として選択する。これにより、より精度の高い等化結果を選択することができるので、回路規模を増大させることなく、等化性能を向上させることができる。
【００４１】
（実施の形態２）
２．実施の形態２
２．１．実施の形態２の等化装置の構成
本発明の実施の形態２に係る等化装置の構成は、実施の形態１の図１に示した構成と同様であり、その一部の機能が異なるのみなので、図１を援用し、異なる機能について説明する。
【００４２】
ＲＳＳＩ比較部１０８は、大きさの異なる２つの閾値、閾値１及び閾値２（＞閾値１）を備え、ＲＳＳＩ最小位置判定部１０７から出力されたＲＳＳＩ最小値と閾値１及び閾値２との閾値判定を行い、判定結果を等化結果選択部１０９に出力する。
【００４３】
２．２．等化結果選択部の等化結果選択処理
次に、本発明の実施の形態２に係る等化結果選択部１０９における等化結果選択処理について図７を用いて説明する。ただし、図７が図３と共通する部分は、図３と同一の符号を付し、重複する説明は省略する。
【００４４】
ＳＴ３０１では、ＳＴ２０１においてＲＳＳＩ最小位置が同期ワード区間に位置すると判定された上で、ＲＳＳＩ最小値の閾値判定結果が閾値１以上か否かを検出し、閾値１以上ではない（ＮＯ）場合、ＳＴ３０２に移行し、閾値１以上である（ＹＥＳ）場合、ＳＴ３０３に移行する。
【００４５】
ＳＴ３０２では、ＲＳＳＩ最小位置が現フレームに位置する場合、現フレームの全てについて逆方向等化を選択し、ＲＳＳＩ最小位置が次フレームに位置する場合、現フレームの全てについて順方向等化結果を選択して、等化結果選択処理を終了する。
【００４６】
ＳＴ３０３では、ＲＳＳＩ最小値の閾値判定結果が閾値２以上か否かを検出し、閾値２以上である（ＹＥＳ）場合、ＳＴ３０４に移行し、閾値２以上ではない（ＮＯ）場合、ＳＴ３０５に移行する。
【００４７】
ＳＴ３０４では、データ区間先頭から中心までは順方向等化結果を選択し、中心からデータ区間末尾までは逆方向等化結果を選択して、等化結果選択処理を終了する。
【００４８】
ＳＴ３０５では、ＲＳＳＩ最小位置が現フレームに位置する場合、データ区間先頭から１／３データ区間長離れた位置を切替位置とし、データ区間先頭から切替位置までは順方向等化結果を選択し、切替位置からデータ区間末尾までは逆方向等化結果を選択して、等化結果選択処理を終了する。また、ＲＳＳＩ最小位置が次フレームに位置する場合、データ区間末尾から１／３データ区間長遡った位置を切替位置とし、データ区間先頭から切替位置までは順方向等化結果を選択し、切替位置からデータ区間末尾までは逆方向等化結果を選択して、等化結果選択処理を終了する。
【００４９】
次に、上述した等化結果選択処理の様子について説明する。まず、図７に示したＳＴ３０２の等化結果選択処理の様子を図８に示す。図８（ａ）はＲＳＳＩ最小値が閾値１未満であり、ＲＳＳＩ最小位置が現フレームに位置する場合の様子を示し、図８（ｂ）はＲＳＳＩ最小値が閾値１未満であり、ＲＳＳＩ最小位置が次フレームに位置する場合の様子を示す。図８に示すように、図８（ａ）では、現フレームの全てについて逆方向等化を選択し、図８（ｂ）では、現フレームの全てについて順方向等化結果を選択する。
【００５０】
次に、図７に示したＳＴ３０５の等化結果選択処理の様子を図９に示す。図９（ａ）はＲＳＳＩ最小値が閾値１以上かつ閾値２未満であり、ＲＳＳＩ最小位置が現フレームに位置する場合の様子を示し、図９（ｂ）はＲＳＳＩ最小値が閾値１以上かつ閾値２未満であり、ＲＳＳＩ最小位置が次フレームに位置する場合の様子を示す。図９に示すように、図９（ａ）では、データ区間先頭から１／３データ区間長離れた位置を切替位置とし、データ区間先頭から切替位置までは順方向等化結果を選択し、切替位置からデータ区間末尾までは逆方向等化結果を選択する。図９（ｂ）では、データ区間末尾から１／３データ区間長遡った位置を切替位置とし、データ区間先頭から切替位置までは順方向等化結果を選択し、切替位置からデータ区間末尾までは逆方向等化結果を選択する。
【００５１】
最後に、図７に示したＳＴ３０４の等化結果選択処理の様子を図１０に示す。図１０（ａ）はＲＳＳＩ最小値が閾値２以上であり、ＲＳＳＩ最小位置が現フレームに位置する場合の様子を示し、図１０（ｂ）はＲＳＳＩ最小値が閾値２以上であり、ＲＳＳＩ最小位置が次フレームに位置する場合の様子を示す。図１０（ａ）及び図１０（ｂ）に示すように、データ区間先頭から中心までは順方向等化結果を選択し、中心からデータ区間末尾までは逆方向等化結果を選択する。
【００５２】
２．３．実施の形態２の効果
このように、実施の形態２によれば、ＲＳＳＩ最小位置が同期ワード区間に位置する場合において、ＲＳＳＩ最小値と２つの閾値との閾値判定結果に基づいて、順方向等化結果又は逆方向等化結果の選択を切り替える切替位置を変更する。これにより、トレーニングの信頼性の高い等化結果をより正確に選択することができるので、等化性能を向上させることができる。
【００５３】
なお、本実施の形態では、２つの閾値を設ける場合について説明したが、本発明はこれに限らず、大きさの異なる３つ以上の閾値を設けてもよい。また、ＲＳＳＩ最小値が閾値１以上かつ閾値２未満であった場合、データ区間先頭から１／３データ区間長離れた位置、あるいはデータ区間末尾から１／３データ区間長遡った位置を切替位置としているが、もちろんそれ以外の値、例えば１／４データ区間長であってもよい。
【００５４】
なお、上記各実施の形態では、シンボル毎の瞬時ＲＳＳＩを用いるように説明したが、マルチパスフェージング環境ではシンボル毎の瞬時ＲＳＳＩは激しく変動するため、ＲＳＳＩ最小値のシンボル位置がずれてしまい、選択される等化方向が切り替わってしまう可能性がある。そこで、ＲＳＳＩは、算出するシンボルの前後数シンボルの平均値としてもよい。
【００５５】
また、等化処理を行う前にＲＳＳＩを算出することができるので、等化結果選択処理の判定基準にＲＳＳＩを用いることにより、例えば、ＲＳＳＩ最小値が現フレームの同期ワード区間に位置し、かつ、ＲＳＳＩ最小値が閾値未満の場合、順方向等化結果は破棄されるため、順方向等化を行わないようにすれば、処理量を削減することができる。
【００５６】
また、上記各実施の形態では、トレーニングに用いる系列を同期ワードとして説明したが、本発明はこれに限らず、パイロット信号などの既知信号であればよい。
【産業上の利用可能性】
【００５７】
本発明にかかる等化装置及び等化方法は、例えば、無線通信装置等に適用できる。
【符号の説明】
【００５８】
１０１  受信信号バッファ
１０２  順方向等化処理部
１０３  順方向等化バッファ
１０４  逆方向等化処理部
１０５  逆方向等化バッファ
１０６  ＲＳＳＩ測定部
１０７  ＲＳＳＩ最小位置判定部
１０８  ＲＳＳＩ比較部
１０９  等化結果選択部
【要約】
【課題】回路規模を増大させることなく、等化性能を向上させる等化装置及び等化方法を提供する。
【解決手段】順方向等化処理部１０２は、現フレーム先頭に配置された同期ワードを用いて順方向にトレーニングを行い、現フレームのデータ区間について順方向にトラッキングを行う。逆方向等化処理部１０４は、次フレーム先頭に配置された同期ワードを用いて逆方向にトレーニングを行い、現フレームのデータ区間について逆方向にトラッキングを行う。ＲＳＳＩ測定部１０６は、受信信号からＲＳＳＩを測定し、ＲＳＳＩ最小位置判定部１０７は、ＲＳＳＩ最小値及びＲＳＳＩ最小位置を検出する。ＲＳＳＩ比較部１０８は、ＲＳＳＩ最小値と所定の閾値との閾値判定を行い、等化結果選択部１０９は、ＲＳＳＩ最小位置及びＲＳＳＩ最小値の閾値判定結果に基づいて、順方向等化結果又は逆方向等化結果を等化器出力として選択する。
【選択図】図１【図１】
0004832601.tif 000002
【図２】
0004832601.tif 000003
【図３】
0004832601.tif 000004
【図４】
0004832601.tif 000005
【図５】
0004832601.tif 000006
【図６】
0004832601.tif 000007
【図７】
0004832601.tif 000008
【図８】
0004832601.tif 000009
【図９】
0004832601.tif 000010
【図１０】
0004832601.tif 000011